(57)【要約】【課題】患者の身体のＣＴ画像に基づき、シリコンを含む材質のカスタムメイドインプラントを製造することができる３Ｄカスタムメイドインプラントの製造方法を提供する。【解決手段】３Ｄカスタムメイドインプラントの製造方法を開示する。本発明の３Ｄカスタムメイドインプラントの製造方法は、患者の身体のＣＴ画像を身体の画像の明暗値に基づき、閾値を用いて分割した後、身体の３Ｄオブジェクト（ｏｂｊｅｃｔ）を具現する具現段階と；具現段階で具現した３Ｄオブジェクトに基づいて、設計インプラントを設計する設計段階と；設計インプラントをガイドラインで製作するガイドラインインプラント製作段階；およびガイドラインインプラントと同じ形態で、シリコンを含む材質でカスタムメイドインプラントを製作する製作段階とを含むことを特徴とする。【選択図】図１
2019217266.tif 000002
【特許請求の範囲】
【請求項１】
患者の身体のＣＴ画像を前記身体の画像の明暗値に基づき、閾値を用いて分割した後、前記身体の３Ｄオブジェクトを具現する具現段階と；
前記具現段階で具現した前記３Ｄオブジェクトに基づいて、設計インプラントを設計する設計段階と；
前記設計インプラントをガイドラインで製作するガイドラインインプラント製作段階；および
前記ガイドラインインプラントと同じ形態で、シリコンを含む材質でカスタムメイドインプラントを製作する製作段階とを含む
３Ｄカスタムメイドインプラントの製造方法。
【請求項２】
前記設計段階は、病院を含む顧客の確認を取る段階をさらに含む
請求項１に記載の３Ｄカスタムメイドインプラントの製造方法。
【請求項３】
前記ガイドラインインプラント製作段階は、３Ｄプリンターを用いて製作する
ことを特徴とする請求項１に記載の３Ｄカスタムメイドインプラントの製造方法。
【請求項４】
前記ガイドラインインプラント製作段階で製作されたカスタムメイドインプラントは、形および形状を提示するガイドラインとして提供される
ことを特徴とする請求項１に記載の３Ｄカスタムメイドインプラントの製造方法。
【請求項５】
前記製作段階でカスタムメイドインプラントは、ミリングやキャスティングを含む製造方法で製造する
ことを特徴とする請求項１に記載の３Ｄカスタムメイドインプラントの製造方法。
【請求項６】
前記製作段階は、
石膏を混練した後、混練された第１混練石膏の一面に前記ガイドラインインプラントを一定の深さで浸す段階と；
前記第１混練石膏と同じく第２混練石膏を混練した後、前記第１混練石膏にかぶせる段階と；
前記第１混練石膏と前記第２混練石膏を硬化した後に前記ガイドラインインプラントを除去する段階；および
前記ガイドラインインプラントの除去でできたすき間の間に液体の形態のシリコンを含む材質を注入した後、硬化する段階とを含む
請求項１に記載の３Ｄカスタムメイドインプラントの製造方法。
【請求項７】
前記具現段階で既存の患者の身体のＣＴ画像を用いる
ことを特徴とする請求項１に記載の３Ｄカスタムメイドインプラントの製造方法。
【発明の詳細な説明】
【技術分野】
【０００１】
本発明は、インプラントの製造方法に関する。より詳しく述べると、患者の身体のＣＴ画像に基づき、シリコンを含む材質のカスタムメイドインプラントを製造することができる３Ｄカスタムメイドインプラントの製造方法に関する。
【背景技術】
【０００２】
最近、化粧品が老化防止などの需要を充足させることができてなく、整形施術で美人効果を得ようとする消費者が増えている。前述の整形施術には、インプラントが用いられ、このような整形施術は、身体の色々な部分、例えば、鼻、あご、鼻まわりのほうれい線、鼻のそばの凹んだ部位、目の下部位、額、でん筋（ｇｌｕｔｅａｌ）などで成されている。
【０００３】
そのうち、鼻整形（ｒｈｉｎｏｐｌａｓｔｙ）は、種類が非常に多く、患者の状態、要求、変形の種類、前回の手術の種類および方法などによって手術の種類が異なる。
【０００４】
鼻整形は、単純に鼻を高くするか、曲がっている鼻をまっすぐにする手術のみならず、先天性奇形の矯正、事故による欠損部治癒、および癌組織の除去後の鼻の再建まで、広範囲にわたる分野を含む。そのうち、隆鼻術は、先天的に鼻が低いか、変形があるか、または、腫瘍手術などの理由で鼻部位に欠損か変形ができた場合の矯正的治療、または、美容的目的で施行することがある。
【０００５】
一般的に隆鼻術は、材料を挿入して成されるが、材料は、移植物（ｇｒａｆｔ）と挿入物（ｉｍｐｌａｎｔ）とに分かれる。
【０００６】
移植物の種類としては、骨と軟骨があって、骨は、軟骨の骨化で形成される軟骨性骨と間葉組織の直接的骨化で形成される膜性骨とに分かれる。
【０００７】
一般的に頭蓋骨のような膜性骨は生存率がよく、吸収率が低くて自家骨移植の時に多く使われ、そのほかに腸骨や肋骨のような軟骨性骨が使われることもある。軟骨は、骨組織に比べて吸収率も低く、血液供給がなくても生存が可能で形を整えることも容易で、鼻中隔軟骨、耳介軟骨と肋軟骨などが隆鼻術に主に用いられる。
【０００８】
移植物のうち、骨移植物の場合、骨性癒合が堅固になされ、よく変位しなく、異物反応を起こさず、多くの量を得ることができる。
【０００９】
しかし、骨折が起こることがあり、移植物を採取することが難しく、供与部に傷が残ることがあり、扱い難くて吸収が多く、柔軟性がない。自家軟骨のうち、鼻中隔軟骨は、便利でいいが、量が多くなくて、堅固な鼻背部ラインを形成することが難しい。
【００１０】
挿入物は、生体の組織内に長期間入れておいても、化学的変化を起さない不活性の人工材料を意味し、シリコンプロテーゼ、ゴアテックス（登録商標）プロテーゼ、メルシレン（Ｍｅｒｓｉｌｅｎｅ）（登録商標）メッシュ、アロダーム（登録商標）、プロプラストなどの種類がある。
【００１１】
一方、鼻整形術に用いられる既存の隆鼻術（ａｕｇｍｅｎｔａｔｉｏｎ  ｒｈｉｎｏｐｌａｓｔｙ）の材料は、個別患者の鼻のサイズを考えずに、標準丈および高さで生産されてきた。従って、医師たちは各患者の特定の要求に従って材料を設計し、彫刻することに多くの時間を費やしてきた。
【００１２】
従来の幹細胞研究に基づく組織工学技術が固有の機能を維持しながらも、損傷された組織と臓器を取替えられる可能性を見せたが、整形術で組織工学技術の適用は相対的に珍しいのである。即ち、整形術で主目的を達成するために適切な材料を用いることは、ほとんどの場合、必須的に要求される。
【００１３】
最近、３次元（３Ｄ）プリンティングが様々な臨床問題に適用されてきて、３Ｄプリンティングを用いて３次元形状の固体スキャフォールドを製造することができる。
【００１４】
しかし、従来のどの研究も３Ｄプリンティングを鼻整形術や鼻手術に適用しなかった。
【００１５】
整形部位のうち、一位である鼻がカスタムメイドインプラントで生産されない理由は、鼻の上部分の１／３部分までは骨であるが、その下の２／３部位は、骨でない軟骨および軟骨を覆う筋肉層なので、ＣＴ（ｃｏｍｐｕｔｅｄ  ｔｏｍｏｇｒａｐｈｙ）上に具現されなかった。故に、軟骨および骨など人体組織に合うインプラントの生産に困難を伴った。
【００１６】
また、顔面骨にぴったり合うあご、ほうれい線部位（ｐａｒａｎａｓａｌ）、額、こめかみしわ部位（ｐａｒａｎａｓａｌ）、下顎（ｍａｎｄｉｂｌｅ）、こめかみ（ｔｅｍｐｌｅ）、頬骨（Ｍａｌａｒ）など、カスタムメイドインプラントも素材の限界で生産が難しかった。
【００１７】
前述の技術構成は、本発明に関して理解を深くするための背景技術であって、本発明の属する技術分野でよく知られた従来技術を意味することではない。
【先行技術文献】
【特許文献】
【００１８】
【特許文献１】韓国登録特許公報第１０−１７４７３２６号（シム・ミンボ）２０１７．０６．０８．
【発明の概要】
【発明が解決しようとする課題】
【００１９】
本発明は、以上の点に鑑みて創案されたものであり、患者の身体のＣＴ画像に基づき、シリコンを含む材質のカスタムメイドインプラントを製造することができる３Ｄカスタムメイドインプラントの製造方法を提供することを目的とする。
【課題を解決するための手段】
【００２０】
本発明の一側面によると、患者の身体のＣＴ画像を前記身体の画像の明暗値に基づき、閾値（Ｔｒｅｓｈｏｌｄｉｎｇ）を用いて分割した後、前記身体の３Ｄオブジェクト（ｏｂｊｅｃｔ）を具現する具現段階と；前記具現段階で具現した前記３Ｄオブジェクトに基づいて、設計インプラントを設計する設計段階と；設計インプラントをガイドラインで製作するガイドラインインプラント製作段階；および前記ガイドラインインプラントと同じ形態で、シリコンを含む材質でカスタムメイドインプラントを製作する製作段階とを含む３Ｄカスタムメイドインプラントの製造方法を提供することができる。
【００２１】
前記設計段階は、病院を含む顧客の確認を取る段階をさらに含むことができる。
【００２２】
前記ガイドラインインプラント製作段階は、３Ｄプリンターを用いて製作することができる。
【００２３】
前記ガイドラインインプラント製作段階で製作されたカスタムメイドインプラントは、形および形状を提示するガイドラインとして提供することができる。
【００２４】
前記製作段階でカスタムメイドインプラントは、ミリングやキャスティングを含む製造方法で製造することができる。
【００２５】
前記製作段階は、石膏を混練した後、混練された第１混練石膏の一面に前記ガイドラインインプラントを一定の深さで浸す段階と；前記第１混練石膏と同じく第２混練石膏を混練した後、前記第１混練石膏にかぶせる段階と；前記第１混練石膏と前記第２混練石膏を硬化した後に前記ガイドラインインプラントを除去する段階；および前記ガイドラインインプラントの除去でできたすき間の間に液体の形態のシリコンを含む材質を注入した後、硬化する段階とを含むことができる。
【００２６】
前記具現段階で既存の患者の身体のＣＴ画像を用いることができる。
【発明の効果】
【００２７】
本発明の３Ｄカスタムメイドインプラントの製造方法は、患者の身体のＣＴ画像に基づき、シリコンを含む材質のカスタムメイドインプラントを製造することができる。
【図面の簡単な説明】
【００２８】
【図１】本発明の一実施例による３Ｄカスタムメイドインプラントの製造方法を概略的に図示した順序図である。
【図２】図１に図示の具現段階によってＣＴ画像に鼻の骨、軟骨および筋肉が具現されたことを概略的に図示した図面である。
【図３】図１に図示のデザイン段階でデザインされたデザイン鼻インプラントが骨の上側部に設けられたことを概略的に図示した図面である。
【図４】図１の製造方法によって製造されたカスタムメイドインプラントの一例として、鼻インプラントを概略的に図示した図面である。
【図５】図２に図示の鼻インプラントが模型骨に付着されたことを概略的に図示した図面である。
【図６】本実施例が鼻のほかに額、あごなどに適用できることを概略的に図示した図面である。
【発明を実施するための形態】
【００２９】
本発明と本発明の動作上の利点および本発明の実施によって達成される目的を十分理解するためには、本発明の好ましい実施例を例示する添付図面および添付図面に記載の内容を参照しなければいけない。
【００３０】
以下、添付の図面を参照して本発明の好ましい実施例を説明することによって、本発明を詳しく説明する。各図面に提示された同じ参照符号は、同じ部材を示す。
【００３１】
図１は、本発明の一実施例による３Ｄカスタムメイドインプラントの製造方法を概略的に図示した順序図であり、図２は、図１に図示の具現段階によってＣＴ画像に鼻の骨、軟骨および筋肉などの人体組織が具現されたことを概略的に図示した図面であり、図３は、図１に図示の設計段階で設計された設計鼻インプラントが骨の上側部に設けられたことを概略的に図示した図面であり、図４は、図１の製造方法によって製造されたカスタムメイドインプラントの一例として鼻インプラントを概略的に図示した図面であり、図５は、図２に図示の鼻インプラントが模型骨に付着されたことを概略的に図示した図面である。
【００３２】
これら図面に図示のように、本実施例による３Ｄカスタムメイドインプラントの製造方法は、患者の鼻のＣＴ（ｃｏｍｐｕｔｅｄ  ｔｏｍｏｇｒａｐｈｙ）画像を鼻の骨１０、軟骨３０および筋肉２０などの人体組織の明暗値に基づき、閾値（ｔｈｒｅｓｈｏｌｄｉｎｇ）を用いて分割した後、ＣＴ画像に鼻の骨１０、軟骨３０および筋肉２０などを具現する具現段階Ｓ１０と、具現段階で具現したＣＴ画像に基づいて、設計インプラントの一例である設計鼻インプラント２００を設計する設計段階Ｓ２０と、設計鼻インプラント２００をガイドラインで製作するガイドラインインプラントの一例であるガイドライン鼻インプラント製作段階Ｓ３０と、ガイドライン鼻インプラントと同じ形態で、シリコンを含む材質でカスタムメイドインプラントの一例である鼻インプラント１００を製作する製作段階Ｓ４０とを備える。
【００３３】
具現段階Ｓ１０では、まずＣＴ装置を介して鼻のＣＴ画像を獲得し、鼻のＣＴ画像は、従来のＣＴ撮影装置を介して獲得することができる。また、本実施例で鼻のＣＴ画像は、顧客、例えば、病院を通じて貰うことができる。
【００３４】
本実施例の具現段階Ｓ１０は、鼻のＣＴ画像を、明暗値を用いて図２に図示のＣＴ画像に鼻の骨１０、軟骨３０および筋肉２０を具現することができる。
【００３５】
具体的に、以前には鼻の上部分の１／３部分までは骨であるが、その下の２／３部位は、骨でない軟骨３０および軟骨３０を覆う筋肉２０層であるため、ＣＴ上で図２に図示の設計鼻インプラント２００を具現することができなかった。
【００３６】
しかし、本実施例は、患者のＣＴ画像を、部分（ｓｌｉｃｅ）２Ｄ画像を活用して二値化（ｔｈｒｅｓｈｏｌｄｉｎｇ）すると、各々の明暗値を分類することができて、この部分値等は、軟骨、骨、筋肉など細部化した部位を表現することができる。即ち、これを分類する原理は、ＣＴ画像の部分２Ｄ画像を用いてピクセル（Ｐｉｘｅｌ）の明暗の程度によって同じ値で区分する作業を意味する。
【００３７】
本実施例は、二値化の作業を用いて分類した値のうち、作業者が必要とする明暗値を選んで、これを３Ｄ画像化のためにＳＴＬ（ＳＴｅｒｅｏＬｉｔｈｏｇｒａｐｈｙ)ファイルに変換する。
【００３８】
本実施例で変換後、製作に必要な各々のＳＴＬファイルを統合した形状を３Ｄオブジェクトとする。
【００３９】
次に、３Ｄオブジェクトの上に患者のインプラントを設計し、設計したＳＴＬファイルを出力する。参考に、ＳＴＬファイルは、３Ｄモデリングしたデータを標準形式のファイルで保存するのに提供されるファイル形式を言う。
【００４０】
設計段階Ｓ２０は、具現段階Ｓ１０で具現されたＣＴ画像に基づいて、設計インプラントの一例である設計鼻インプラント２００を設計する段階である。
【００４１】
本実施例で、設計段階Ｓ２０で製作される設計鼻インプラント２００は、顧客のオーダーフォームに書いてある要請事項に従って製作することができる。
【００４２】
また、本実施例は、製作された設計鼻インプラント２００を顧客である病院を通じて確認を取ることができる。この確認過程で病院の修正要請事項がある場合、前述の具現段階Ｓ１０を介して、また設計鼻インプラント２００を製作することができる。
【００４３】
さらに本実施例は、設計鼻インプラント２００を２乃至３種類のタイプで製作し、顧客である病院に提供することもできる。
【００４４】
ガイドラインインプラント製作段階Ｓ３０は、設計鼻インプラント２００をガイドラインインプラントで製作する段階である。
【００４５】
本実施例でガイドラインインプラントの一例であるガイドライン鼻インプラントは、３Ｄプリンターを用いるか、モールドを介して製作することができる。例えば、本実施例でガイドラインインプラントは、３Ｄプリンターを用いて設計した模型を出力するか、３Ｄプリンターでスカル（ｓｋｕｌｌ）を出力した後、エポキシ素材を用いてインプラントを直接設計する方法を介して製作することができる。
【００４６】
製作段階Ｓ４０は、顧客から確認を取ったガイドライン鼻インプラントと同じ形態で、シリコンを含む材質で鼻インプラント１００を含むカスタムメイドインプラントを製作する段階である。
【００４７】
本実施例の製作段階Ｓで鼻インプラント１００は、ミリングやキャスティングなどを含む製造方法で提供されることができる。
【００４８】
以下、鼻インプラント１００をキャスティング製造方法で製造することを手短に説明する。
まず、石膏を混練した後、混練された第１混練石膏の一面にガイドライン鼻インプラントを一定の深さで浸す段階が成される。この段階でガイドライン鼻インプラントは、第１混練石膏に２／３位浸される。本実施例で石膏は、公知のイェローストーン（ｙｅｌｌｏｗ  ｓｔｏｎｅ）混練を用いることができて、これは、第２混練石膏の製造する時にも、同じく適用することができる。
【００４９】
次に、第１混練石膏と同じく第２混練石膏を混練した後、第１混練石膏にかぶせる段階が成される。
【００５０】
その次に、第１混練石膏と第２混練石膏が完全に硬化するまで待機する。本実施例で第１混練石膏と第２混練石膏の硬化時間は、約２４時間所要する。
【００５１】
硬化か完了すると、第１混練石膏、または、第２混練石膏のうち、いずれか一つを分離させ、ガイドライン鼻インプラントを除去する。
【００５２】
ガイドライン鼻インプラントを除去した後、第１混練石膏と第２混練石膏とのすき間の間に液体の形態のシリコンを注入した後、一定の温度で一定の時間の間、また硬化させる。
【００５３】
本実施例で前述の一定の温度は、摂氏約１６０度の温度であることがあり、硬化時間は、１乃至２時間の間成される。本実施例は、液体の形態のシリコンのほかにチタンなど公知の他の材料を注入することもできる。
【００５４】
前述の硬化時間に経過すると、第１混練石膏と第２混練石膏とを除去した後、鼻インプラント１００を分離する。
【００５５】
分離された鼻インプラント１００をガイドライン鼻インプラントと同じ規格で整えて表面処理した後、洗滌作業をして仕上げる。
【００５６】
そして本実施例は、インプラントをミリングで製造する方法を含む。
以下、インプラントをミリングで製造する方法を手短に説明する。ミリングとは、ブロックタイプのシリコンなどの物性材料を設計したインプラントに合わせて削るか、整えて製造する方法を意味し、ミリングのほかにも技術者によって手で刻む方法（カービング）を介して製造することができる。
【００５７】
一方、本実施例は、あご、ほうれい線部位（ｐａｒａｎａｓａｌ）、額、こめかみしわ部位（ｐａｒａｎａｓａｌ）、下顎（ｍａｎｄｉｂｌｅ）、こめかみ（ｔｅｍｐｌｅ）、頬骨（Ｍａｌａｒ）などに必要なインプラントを製造するのに適用することができる。図６には、本実施例が鼻のほかに額とあご、こめかみしわ部位などにも適用できることが概略的に図示されている。
【００５８】
本発明の実施例等は、患者の身体のＣＴ画像を身体の明暗値に基づき、閾値を用いて分割し、各分割された明暗値のうち、製作者が必要とする分割値（データ）を持ってきてＳＴＬファイルに変換し、製作に必要な各々のＳＴＬファイルを統合した形状である３Ｄオブジェクトの上に患者のインプラントを設計し、設計したＳＴＬファイルを出力して製作された３Ｄ形状を標本としてシリコンを含む物性のカスタムメイドインプラントで製作することによって仮想設計の提供ができて、顧客の要求をより正確に反映することができて、顧客と円滑に疎通ができて、顧客の要求をより多く反映することができる。
【００５９】
以上のように、本実施例は、患者の身体のＣＴ画像を身体の明暗値に基づいて設計インプラントを３Ｄオブジェクト形状に変換した後、変換された３Ｄ形状を標本とし、シリコンを含む物性のカスタムメイドインプラントで製作することによって、仮想設計の提供ができて、顧客の要求をより正確に反映することができて、顧客と円滑に疎通ができて、顧客の要求をより多く反映することができる。
【００６０】
また、患者の骨および組織と物体空間に設計されたインプラントが一致するというところで手術の副作用も減少し、個人の好みをより正確に反映できるというところが大きな長所がある。本実施例で物体空間は、３次元的表面で３次元座標系上に物体が存在する空間と定義される。即ち、明暗値に基づいて閾値によって作られた空間をインプラント化したものである。
【００６１】
このように、本発明は、記載の実施例に限られることなく、本発明の事象および範囲を外れないで色々と修正および変形できることは、この技術の分野で通常の知識を有する者には自明である。従って、そのような修正例、または、変形例は、本発明の特許請求の範囲に属するというべきである。
【符号の説明】
【００６２】
１０    鼻の骨
２０    鼻の筋肉
３０    鼻の軟骨
４０    既存のインプラント
１００    鼻インプラント
２００    設計鼻インプラント
【図１】
2019217266.tif 000003
【図２】
2019217266.tif 000004
【図３】
2019217266.tif 000005
【図４】
2019217266.tif 000006
【図５】
2019217266.tif 000007
【図６】
2019217266.tif 000008